(57)【要約】【課題】水素ガスを電解質膜上の電極で反応させて発電する燃料電池を備える燃料電池装置において、クロスリークした水素ガスのみを正確に推定することである。【解決手段】燃料電池装置１は、両面に電極２１，２２が配置された電解質膜２０を有し、一方の面の電極２１に水素ガスが供給され、他方の面の電極２２に酸化ガスが供給されて、水素ガスと酸化ガスの電気化学反応により発電する燃料電池２を備える。燃料電池装置１は、一方の面の電極２１のみに水素ガスを供給し、電解質膜２０を介して両電極２１，２２間に発生させた水素の濃度差に基づいて発電する際の電流を測定する電流検出器４と、他方の電極２２側から排出されるオフガス中の水素を検出する水素検出器３と、前記電流検出器４の検出値と、前記水素検出器３の検出値とに基づいて、電解質膜２０中を透過し、漏洩した水素量を推定する透過水素量推定手段５（６）とを備える。【選択図】図１
2007294233.tif 000002
【特許請求の範囲】
【請求項１】
両面に電極が配置された電解質膜を有し、
一方の面の電極に水素ガスが供給され、他方の面の電極に酸化ガスが供給され、水素ガスと酸化ガスの電気化学反応により発電する燃料電池を備える燃料電池装置において、
両電極間を移動した電荷量を推定する電荷量推定手段と、
前記電荷量推定手段の推定結果に基づいて、電解質膜中を移動したプロトン量を推定するプロトン量推定手段と、
前記プロトン量推定手段の推定結果に基づいて、一方の電極側から他方の電極側へ向けて、分子状態で電解質膜中を透過した水素量を推定する透過水素量推定手段と、を備えることを特徴とする燃料電池装置。
【請求項２】
両面に電極が配置された電解質膜を有し、
一方の面の電極に水素ガスが供給され、他方の面の電極に酸化ガスが供給され、水素ガスと酸化ガスの電気化学反応により発電する燃料電池を備える燃料電池装置において、
前記他方の電極側に存在する水素の内、前記一方の電極側から他方の面の電極側へ、電解質膜中をプロトンの状態で移動した水素量を、両電極間を移動した電子の量に基づいて推定する電子量推定手段と、
他方の電極側から排出されるオフガス中の水素を検出する水素検出器と、
前記電子量推定手段の推定結果と、前記水素検出器の検出結果とに基づいて、一方の電極側から他方の電極側へ向けて、分子状態で電解質膜中を透過した水素量を推定する透過水素量推定手段と、を備えることを特徴とする燃料電池装置。
【請求項３】
両面に電極が配置された電解質膜を有し、
一方の面の電極に水素ガスが供給され、他方の面の電極に酸化ガスが供給され、水素ガスと酸化ガスの電気化学反応により発電する燃料電池を備える燃料電池装置において、
一方の面の電極のみに水素ガスを供給し、電解質膜を介して両電極間に発生させた水素の濃度差に基づいて発電する際の電流を測定する電流検出器と、
他方の電極側から排出されるオフガス中の水素を検出する水素検出器と、
前記電流検出器の検出値と、前記水素検出器の検出値とに基づいて、一方の電極側から他方の電極側へ向けて電解質膜中を透過した水素量を推定する透過水素量推定手段と、を備えることを特徴とする燃料電池装置。
【請求項４】
請求項１〜請求項３の何れか１項に記載の燃料電池装置において、
前記燃料電池は、酸化ガスの供給量を少なくした状態で発電することを特徴とする燃料電池装置。
【発明の詳細な説明】
【技術分野】
【０００１】
本発明は、水素ガスを電解質膜上の電極で反応させて発電する燃料電池を備える燃料電池装置に関し、特に、電解質膜を透過し、漏洩した水素量を推定する技術に関する。
【背景技術】
【０００２】
プロトン伝導性の電解質膜の両面上に、一対の電極を対向して配置し、それらの電極で水素ガスおよび酸化ガスを反応（電気化学反応）させて発電する燃料電池が知られている。
【０００３】
水素ガスが反応する電極（アノード）では、以下の（１）式で示される化学反応が進行する。水素からプロトンおよび電子が生成する。
Ｈ２  →  2Ｈ＋  ＋  2ｅ−    ・・・（１）
【０００４】
アノードで生成したプロトンは、電解質膜中を移動し、他の電極（カソード）へ到達する。また電子は、アノードとカソードとの間を連絡する所定の導体中を通り、カソードへ移動する。
【０００５】
これに対し、酸化ガス（通常は、空気中の酸素）が反応する電極（カソード）では、以下の（２）式で示される化学反応が進行する。酸素が電解質膜中を移動してきたプロトンと、電子と反応して水を生成する。
(1/2）Ｏ２    ＋  2Ｈ＋  ＋  2ｅ−  →  Ｈ２Ｏ    ・・・（２)
【０００６】
上記（１）および（２）式の化学反応がアノードおよびカソードにおいて連続的に進行することによって、アノードおよびカソードの両電極間に、起電力が発生する。なお、発電時の燃料電池において、電解質膜を介してアノード側に存在する水素ガスと、カソード側に存在する酸化ガスとは、通常、相互に混ざり合わない。水素ガスおよび酸化ガスは、電解質膜によって分離された状態にある。
【０００７】
ところで、この種の燃料電池は、発電に伴い電解質膜が次第に劣化して、電解質膜に微細な孔が発生することが知られている。発生した孔の中には、電解質膜内を貫通するものもある。その為、孔が形成されると、アノード側の水素ガスが、電解質膜の孔を透過し、カソード側へ漏洩する場合がある。この際、水素は分子（水素分子）状態で電解質膜中を移動する。また、カソード側の酸化ガス（酸素）が、電解質膜の孔を透過し、アノード側へ漏洩する場合もある。所謂、ガスのクロスリークが発生する。クロスリークが発生すると、電解質膜を介して分離されていた水素ガスと酸化ガスとが混ざり合い、アノードおよびカソードで反応する水素ガスおよび酸化ガスの比率が変化し、燃料電池の出力が不安定になる等の問題が発生する。このような場合、劣化した電解質膜を、新たな電解質膜に交換する等の措置を行う必要がある。
【０００８】
例えば、特許文献１は、クロスリークしたガス量を、電解質膜の劣化の指標とする技術を開示する。この技術は、水素ガスおよび酸化ガスとを電解質膜上の電極（アノード、カソード）で反応させて発電する燃料電池において、カソードから排出されるオフガス中の水素ガスをガスセンサによって検出することにより、アノードからカソードへ電解質膜を透過し、漏洩した水素ガス（クロスリークした水素ガス）を把握し、電解質膜の劣化状況を判断するものである。
【０００９】
【特許文献１】特開２００５−１５０００７号公報
【特許文献２】特表２００３−５０４８０７号公報
【発明の開示】
【発明が解決しようとする課題】
【００１０】
ところで、上記燃料電池において、条件によっては、上記（１）式および（２）式に基づかずに起電力を発生させることが出来る。電解質膜を介してアノード側とカソード側との間に生じたガスの濃度差（濃淡差、分圧差）に基づいて、起電力を発生させることが出来る。例えば、アノード側に供給された水素ガスと、アノード側から漏洩したカソード側の水素ガスとの間の濃度差に基づいて、起電力を発生させることが出来る。この起電力は、所謂、濃淡電池の原理に基づくものであり、一般的に、ネルンストの式に従って求められるものとして知られている。濃淡電池の原理に基づいて燃料電池が発電する際、高濃度側の水素ガスは、電極（アノード）で反応してプロトンとなり、プロトンの状態で電解質膜中を移動する。電解質膜中を移動したプロトンは、他方の電極（カソード）において、電子を受け取り、再び水素ガス（水素分子）となる。
【００１１】
上記燃料電池において、濃淡電池の原理に基づく起電力が生じ得る場合としては、例えば、以下に示す場合がある。特許文献２において示されるように、低温で始動した燃料電池を、発熱させて素早く温める為に、アノードへ供給する水素ガス量に対して、カソードへ供給する酸化ガス量を少なくし、低効率（過電圧）の状態で発電を行う場合がある。このような場合、アノードへ供給された水素ガスと、カソードへ漏洩した水素ガスとの間の濃淡差に基づいて、起電力が発生し得る。
【００１２】
ところで、上記燃料電池において、濃淡電池の原理に基づいて発電している場合においても、アノード側に存在する水素ガスが、電解質膜の孔を通って、カソード側へ水素ガスが漏洩し得る。この場合、カソードには起源の異なる水素が２種類存在することになる。一方は、アノード側から水素分子の状態で、電解質膜の孔を透過し、カソード側へ漏洩した水素である。他方は、濃淡電池の原理に基づいて、アノード側からカソード側へ電解質膜中をプロトンの状態で移動して来た水素である。したがって、この場合、カソードから排出されるオフガス中に含まれる水素には、電解質膜の劣化の指標とされるクロスリークした水素以外の水素が混ざった状態にある。
【００１３】
上記のように、燃料電池が、所定の条件の下、濃淡電池の原理に基づいて発電する際、上記特許文献１のように、オフガス中の水素を検出しても、クロスリークした水素のみを正確に把握することが出来ず、問題であった。
【００１４】
本発明の目的は、電解質膜を漏洩した水素ガス量のみを推定することである。
【課題を解決するための手段】
【００１５】
本発明に係る燃料電池装置は、両面に電極が配置された電解質膜を有し、一方の面の電極に水素ガスが供給され、他方の面の電極に酸化ガスが供給され、水素ガスと酸化ガスの電気化学反応により発電する燃料電池を備える燃料電池装置において、両電極間を移動した電荷量を推定する電荷量推定手段と、前記電荷量推定手段の推定結果に基づいて、電解質膜中を移動したプロトン量を推定するプロトン量推定手段と、前記プロトン量推定手段の推定結果に基づいて、一方の電極側から他方の電極側へ向けて、分子状態で電解質膜中を透過した水素量を推定する透過水素量推定手段と、を備えることを特徴とする。
【００１６】
また、本発明に係る燃料電池装置は、両面に電極が配置された電解質膜を有し、一方の面の電極に水素ガスが供給され、他方の面の電極に酸化ガスが供給され、水素ガスと酸化ガスの電気化学反応により発電する燃料電池を備える燃料電池装置において、前記他方の電極側に存在する水素の内、前記一方の電極側から他方の面の電極側へ、電解質膜中をプロトンの状態で移動した水素量を、両電極間を移動した電子の量に基づいて推定する電子量推定手段と、他方の電極側から排出されるオフガス中の水素を検出する水素検出器と、前記電子量推定手段の推定結果と、前記水素検出器の検出結果とに基づいて、一方の電極側から他方の電極側へ向けて、分子状態で電解質膜中を透過した水素量を推定する透過水素量推定手段と、を備えることを特徴とする。
【００１７】
また、本発明に係る燃料電池装置は、両面に電極が配置された電解質膜を有し、一方の面の電極に水素ガスが供給され、他方の面の電極に酸化ガスが供給され、水素ガスと酸化ガスの電気化学反応により発電する燃料電池を備える燃料電池装置において、一方の面の電極のみに水素ガスを供給し、電解質膜を介して両電極間に発生させた水素の濃度差に基づいて発電する際の電流を測定する電流検出器と、他方の電極側から排出されるオフガス中の水素を検出する水素検出器と、前記電流検出器の検出値と、前記水素検出器の検出値とに基づいて、一方の電極側から他方の電極側へ向けて電解質膜中を透過した水素量を推定する透過水素量推定手段と、を備えることを特徴とする。
【００１８】
上記燃料電池装置において、前記燃料電池は、例えば、酸化ガスの供給量を少なくした状態で発電することを特徴とする。
【００１９】
上記燃料電池装置において、更に、前記透過水素量推定手段の推定結果に基づいて、燃料電池の電解質膜の異常を報知する報知手段を備えることを特徴とする。
【発明の効果】
【００２０】
本発明に係る燃料電池装置によれば、電解質膜を漏洩した水素ガス量のみを推定することが出来る。
【発明を実施するための最良の形態】
【００２１】
以下、本発明に係る実施の形態について、図面を用いて詳細に説明する。図１は、本実施形態に係る燃料電池装置１の概略構成図である。燃料電池装置１は、水素ガスおよび酸化ガスを燃料として発電する燃料電池２を備える。燃料電池２は、所謂、固体高分子電解質型燃料電池である。
【００２２】
燃料電池２は、イオン伝導性の電解質膜２０の一方の面に水素ガスが反応するアノード２１を有し、他方の面に酸化ガス（通常は、空気中の酸素）が反応するカソード２２を有する膜−電極接合体（Membrane-Electrode Assembly、ＭＥＡ）２３を備える。
【００２３】
ＭＥＡ２３に用いられるイオン伝導性の電解質膜２０は、側鎖にスルホン酸基やカルボキシル基等のイオン交換基を有する高分子膜からなる。電解質膜２０は、特定のイオンと強固に結合し、選択的にイオンを透過する性質を有する。電解質膜２０としては、例えば、パーフルオロスルホン酸重合体からなる膜のナフィオン（登録商標、デュポン社製）が用いられる。
【００２４】
ＭＥＡ２３の一方の面上に形成されるアノード２１は、触媒層と、触媒層の上に形成される拡散層とを有する。触媒層は、白金、金、パラジウム、ルテニウム、イリジウム等の貴金属触媒をカーボンに担持させた触媒担持カーボンを、樹脂で結着して形成される。なおカーボンとしては、オイルファーネスブラック、チャンネルブラック、サーマルブラック、アセチレンブラック等が用いられる。結着樹脂としては、ポリフッ化ビニル、ポリフッ化ビニリデン、ポリヘキサフルオロプロピレン等が用いられる。拡散層は、カーボン繊維等の多孔質導電性材料からなる。
【００２５】
燃料電池２は、ＭＥＡ２３の両面に、１組のセパレータを対向して配置した燃料電池セルを、複数個積層し、電気的に直列に接続した、燃料電池スタックの状態で用いられる。セパレータは、アルミ、ステンレス等の金属材料や、カーボン等からなる導電性部材であり、集電部として機能する。またセパレータには、ＭＥＡの表面に沿って水素ガスまたは酸化ガスを流すためのガス流路を備える。なお、説明の便宜上、図１には、１枚のＭＥＡ２３を備える燃料電池２を示した。セパレータは省略した。
【００２６】
発電時、燃料電池２には、水素ガスおよび酸化ガスが供給される。水素ガスは、所定の水素ガス供給配管１０を通って、燃料電池２のアノード２１へ供給される。また酸化ガス（通常は、空気）は、所定の酸化ガス供給配管１５を通って、燃料電池２のカソード２２へ供給される。この際、水素ガスおよび酸化ガスは、燃料電池２の目標出力に応じて定められた、所定の供給比率で供給される。
【００２７】
発電時、供給された水素ガスは、アノード２１において反応し、プロトンとなる（上記（１）式参照）。プロトンは電解質膜２０中を移動し、カソード２２側へ移動する。なお、プロトンは、水分子を伴って電解質膜２０中を移動する。これに対して、酸化ガス（酸素）は、カソード２２において、電解質膜２０中を移動して来たプロトンと反応して水を生成する（上記（２）式参照）。これらの反応の際、電子が、所定の負荷（図示せず）を介して燃料電池２の端子と接続する導線３０中を流れ、電流が生じる。なお、アノード２１へ供給された水素は、反応後、水へと変化する（図１中の一点鎖線で囲まれた領域ａ内の式を参照）。
【００２８】
燃料電池２へ供給された水素ガスおよび酸化ガスは、すべてアノード２１またはカソード２２で消費される訳では無い。未消費のガスは、所定の配管を通って燃料電池２の外部へオフガスとして排出される。アノード２１からは、未消費の水素ガスが、アノード側排出配管１１を通って排出される。なおアノード２１へ供給される水素ガスは、通常、加湿されている為、オフガス中にも水が含まれる。これに対し、カソード２２からは、未消費の酸素（空気）や、カソード２２で生成した水等を含んだオフガスがカソード側排出配管１６を通って排出される。
【００２９】
発電を継続すると、燃料電池２のＭＥＡ２３，特に、電解質膜２０が次第に劣化する。電解質膜２０が劣化すると、電解質膜２０に孔が形成される。電解質膜２０に孔が形成されると、発電中、アノード２１へ供給された水素ガスが、電解質膜２０の孔を通り、カソード２２側へ漏洩する。漏洩した水素は、アノード２１側からカソード２２側へ水素分子の状態で移動する（図１中の一点鎖線で囲まれた領域ｃ内の式を参照）。電解質膜２０を透過し、漏洩した水素ガスは、オフガスとしてカソード側排出配管１６を通って排出される。
【００３０】
本実施形態に係る燃料電池装置１は、カソード２２から排出されるオフガス中の水素ガスを検出する水素検出器３を備える。水素検出器３は、カソード側排出配管１６に設置される。水素検出器３は、例えば、所定時間内にカソード側排出配管１６内を通過したオフガス中の水素ガス量（流量、濃度）を検出するものである。
【００３１】
また燃料電池装置１は、燃料電池２の出力電流を検出する電流検出器４を備える。電流検出器４は、導線３０の途中に配置される。電流検出器４は、例えば、所定時間内における燃料電池２の出力電流を検出する。電流検出器４としては、一般的な、電流計を用いることができる。
【００３２】
また燃料電池装置１は、制御部５を備える。制御部５は、電子制御ユニット（Electronic Control Unit、ＥＣＵ）からなり、ＣＰＵを中心としたワンチップマイクロプロセッサによって構成される。処理プログラムを記憶したＲＯＭや、一時的にデータを記憶するＲＡＭ等を有する。この制御部５には、水素検出器３から出力された検出結果（出力信号）が信号線１３を通って入力される。また制御部５には、電流検出器４から出力された検出結果（出力信号）が信号線１４を通って入力される。
【００３３】
制御部５は、水素検出器３の検出値と、電流検出器４の検出値とに基づいて、電解質膜２０中を透過し、漏洩した水量を推定する透過水素量推定モジュール６（透過水素量推定手段）を有する。透過水素量推定モジュール６における推定結果は、例えば、所定の出力表示装置へ出力される。なお制御部５によって、水素ガスや酸化ガスの供給量の調節等の制御を行ってもよい。また、燃料電池装置１が車両に搭載される場合は、エンジンＥＣＵが制御部５の機能を担っても良い。
【００３４】
以下、燃料電池装置１において、アノード２１側からカソード２２側へ漏洩した水素ガス量（以下、単に、クロスリーク量と称する場合がある）を推定する方法を説明する。
【００３５】
クロスリーク量を測定する為には、燃料電池２において、濃淡電池の原理に基づいて起電力を生じさせる必要がある。この起電力を生じさせる為には、電解質膜２０を介して、アノード２１側とカソード２２側との間に、水素ガスの濃度差（濃淡差）が形成される必要がある。本実施形態において、水素ガスの濃度差は、アノード２１へ供給した水素ガスと、アノード２１側からカソード２２側へクロスリークした水素ガスとの間において形成される。この場合、水素ガスは、アノード２１側において高濃度で存在し、カソード２２側において低濃度で存在した状態にある。
【００３６】
また、クロスリーク量を測定する為には、燃料電池２において、上記（１）式および（２）式で示される化学反応に基づく起電力が生じないようにする（抑制する）必要がある。カソード２２に酸素が存在すると、上記（２）式の反応が生じる為、極力、カソード２２側の酸素を少なくする必要がある。理想的には、完全に酸素を無くすことが好ましい。酸素量を少なくする方法としては、例えば、酸化ガスの供給量を絞り、酸化ガスを通常の発電時よりも減らす方法がある。つまり、酸化ガスのストイキ比を１以下の状態で発電を行う。このストイキ比とは、発電に要する理論的な酸化ガス量（酸素量）（理論値）に対する、実際に供給する酸化ガス量（酸素量）の比である。通常は、理論値よりも実際に供給する酸化ガス量の方が多く、ストイキ比は１を超えた値となっている。このストイキ比が１以下である状態とは、理論値よりも少ない量の酸化ガス（酸素）が供給される状態である。また、他のカソード２２側の酸素量を少なくする方法としては、カソード２２側に、窒素、アルゴン等の反応に寄与しない不活性なガスを供給し、カソード２２側を不活性なガスで略置換する方法がある。なお、アノード２１側とカソード２２側における圧力は、略等しい状態が好ましい。電解質膜２０を介してアノード２１側およびカソード２２側との間に、極端な圧力差が生じると、ガスが電解質膜２０を透過するのを助長し、正確なクロスリーク量を測定することができない。
【００３７】
クロスリーク量を測定する為に、電解質膜２０を介してアノード２１側およびカソード２２側との間に水素ガスの濃度差を生じさせ、かつ、カソード２２側の酸化ガス（酸素）量を少なくする為に、例えば、燃料電池２を低効率の状態で発電することを行う。
【００３８】
ここで、図２は、燃料電池２の出力電圧を示したグラフである。縦軸に電圧を示し、横軸に時間を示す。図２は、燃料電池２において、時間ｔ０〜ｔ１の間に、通常の発電（上記（１）式および（２）式で示される化学反応に基づく発電）を行い、かつ時間ｔ２〜ｔ３の間に、クロスリーク量の測定を行った場合の電圧を示す。通常発電時の燃料電池２の出力電圧がＶ１で示され、クロスリーク量の測定時の出力電圧がＶ２で示される。この種の燃料電池２においては、出力電圧Ｖ１は、例えば、略１．０Ｖである。これに対し、クロスリーク量の測定時の燃料電池２の出力電圧Ｖ２は、略０Ｖである。このような発電状態を、低効率の状態と称する。
【００３９】
以下、濃淡電池の原理に基づいて発電する燃料電池２を備える燃料電池装置１において、実際に、クロスリーク量を推定する方法を説明する。
【００４０】
〈工程１〉
工程１は、燃料電池２を、所定時間、濃淡電池の原理に基づいて発電させる工程である。ここで、所定時間をｔ（min）とする。この間、電流検出器４は、燃料電池２の電流Ｉ（Ａ）を検出する。この間、電流検出器４によって検出される電流Ｉ（Ａ）は、濃淡電池の原理に基づいて生じた電流のみである。つまり、電流検出器４は、高濃度の水素ガスが存在するアノード２１側から、低濃度の水素ガスが存在するカソード２２側へ、水素がプロトンとなって移動した際に生じる電子（電流）のみを検出する。したがって、電流検出器４の検出値は、アノード２１側からカソード２２側へ、プロトンの状態で移動してきた水素量に対応した値となる。（図１中の一点鎖線で囲まれた領域ｂ内の式を参照）。電流検出器４の検出結果は、制御部５へ出力される。
【００４１】
また、この間、水素検出器３は、燃料電池２のカソード２２から排出されるオフガス中の水素（ガス）を検出する。水素検出器３は、時間ｔ（min）の間に、カソード側排出配管１６内を流れる全オフガス量Ｖ(NL/min)を検出し、かつ、時間ｔ（min）の間における水素ガス濃度Ｃ（％）を検出する。なお、水素検出器３が検出する水素ガスには、アノード２１側からカソード２２側へクロスリークした水素ガス（領域ｃ内の式）と、濃淡電池の原理に伴って生成した水素ガス（領域ｂ内の式）とが含まれている。水素検出器３の検出結果は、制御部５へ出力される。
【００４２】
〈工程２〉
工程２は、制御部５において、入力された電流検出器４の検出結果と、水素検出器３の検出結果とに基づいて、クロスリークした水素量（透過水素量）Ｈｃ(NL/min)を推定する工程である。この透過水素量Ｈｃ(NL/min)の推定は、制御部５の透過水素量推定モジュール６において行われる。
【００４３】
ここでは、電流検出器４の検出結果に基づいて、濃淡電池の原理に伴って生成した水素ガス（領域ｂ内の式）の量Ｈm(NL/min)が求められる。電流Ｉ（Ａ）を以下に示される（３）式に基づいて、Ｈm(NL/min)が求められる。なおファラデー定数Ｆを、９６５００（mol/C）とし、かつ、水素ガスを理想気体として推定した。
Ｈm(NL/min)＝Ｉ(A)×(1/96500)(mol/C)×60×(1/2)×22.4(NL/mol)  ・・・（３）
【００４４】
また、水素検出器３の検出結果に基づいて、オフガス中に含まれるすべての水素ガス量Ｈn(NL/min)が求められる。全オフガス量Ｖ(NL/min)および水素ガス濃度Ｃ（％）を以下に示される（４）式に基づいて、Ｈn(NL/min)が求められる。
Ｈn(NL/min)＝Ｖ(NL/min)×Ｃ(%)×0.01  ・・・（４）
【００４５】
上記（３）式より得られたＨm(NL/min)と、上記（４）式より得られたＨn(NL/min)とを以下に示される（５）式に基づいて、クロスリークした水素量Ｈc(NL/min)を求めることが出来る。
Ｈc(NL/min)＝Ｈn(NL/min)−Ｈm(NL/min)  ・・・（５）
【００４６】
以上の工程により、燃料電池装置１において、クロスリークした水素量を求め、推定することが出来る。透過水素量推定手段６による推定結果を用いれば、電解質膜２０の劣化状況を判断することができる。本実施形態に係る燃料電池装置１によれば、電解質膜２０を透過し、漏洩した水素量のみを把握することができる。
【００４７】
本実施形態の燃料電池装置１は、例えば、車両等の移動体用燃料電池装置または家庭等で用いられる定置用燃料電池装置として利用される。
【００４８】
上記実施形態においては、燃料電池として、固体高分子電解質型燃料電池を例示したが、本発明は、この種の燃料電池以外の燃料電池を備える燃料電池装置においても適用することが出来る。他の燃料電池としては、例えば、リン酸型燃料電池（ＰＡＦＣ）、溶融炭酸塩型燃料電池（ＭＣＦＣ）、固体酸化物型燃料電池（ＳＯＦＣ）等がある。これらの燃料電池においても、濃淡電池の原理に基づいて発電させて、電解質膜を透過し、漏洩したガス量を推定することが出来る。
【００４９】
他の実施形態において、燃料電池装置は、更に、燃料電池の電解質膜の交換時期を報知する報知手段を備えてもよい。報知手段は、上記透過水素量推定手段６の出力信号に応じて、報知を行う。報知手段としては、例えば、推定結果に基づいて警告音を発するブザー等を用いることができる。
【図面の簡単な説明】
【００５０】
【図１】本実施形態に係る燃料電池装置の概略構成図である。
【図２】通常発電時およびクロスリーク量測定時の燃料電池の出力電圧を示すグラフである。
【符号の説明】
【００５１】
１  燃料電池装置、２  燃料電池、３  水素検出器、４  電流検出器、５  制御部、６  透過水素量推定手段（モジュール）、１０  水素ガス供給配管、１１  アノード側排出配管、１３，１４  信号線、１５  酸化ガス供給配管、１６  カソード側排出配管、２０  電解質膜、２１  アノード、２２  カソード、２３  ＭＥＡ、３０  導線。
【図１】
2007294233.tif 000003
【図２】
2007294233.tif 000004